(57)【要約】      （修正有）【課題】冷蔵陳列品を購入後等に、容器フランジの外側に付着した結露や水滴を、簡単に除去することのできる包装用容器を提供すること。【解決手段】開口の周縁に形成されたフランジ１１を有した包装用容器１０において、フランジ１１の外縁を辺部中央部から両側部分にかけて下方へ垂れ下がるようにしたこと。【選択図】図１
2014118189.tif 000002
【特許請求の範囲】
【請求項１】
開口の周縁に形成されたフランジを有した包装用容器において、
前記フランジの外縁を、辺部中央部から両側部分にかけて下方へ垂れ下がるようにしたことを特徴とする包装用容器。
【請求項２】
前記フランジの外縁に基端部にて連続的に形成されて、先端部が外方に突出する突起部を有したものとして、この各突起部の先端部を前記基端部から順次幅狭な形状となるようにすることによって、前記各突起部を三角形状のものに形成するとともに、前記基端部に形成した折曲部にて前記各突起部が外側下方に向けて傾斜するようにしたことを特徴とする請求項１に記載の包装用容器。
【請求項３】
前記各突起部に、前記基端部から始まって前記先端部にて終わる複数の水案内部を形成したことを特徴とする請求項１または請求項２に記載の包装用容器。
【請求項４】
それぞれフランジを有する容器本体と蓋体とからなる包装用容器において、
前記容器本体側のフランジの外縁を、辺部中央部から両側部分にかけて下方へ垂れ下がるようにするとともに、前記蓋体側のフランジの外縁を平坦にするようにして、
前記容器本体に蓋体を嵌合したとき、前記蓋体側のフランジの外縁のコーナー部と、前記容器本体側のフランジの外縁のコーナー部との間に、側面からみたときに、外側外方に向けて広がる空間を形成したことを特徴とする包装用容器。
【請求項５】
前記各フランジの外縁に各基端部にて連続的に形成されて、各先端部が外方に突出する突起部とを有し、前記容器本体に蓋体を嵌合したとき、この蓋体の少なくとも１つの前記突起部が前記容器本体側の突起部上に位置することになる包装用容器において、
前記容器本体側の各突起部についてのみ、その先端部を前記基端部から順次幅狭な形状となるように形成するとともに、前記基端部に形成した折曲部にて前記各突起部が外側下方に向けて傾斜するようにして、
前記蓋体側の少なくとも１つの前記突起部と、前記容器本体側の突起部との間に、側面からみたときに、外側外方に向けて広がる空間Ｒを形成したことを特徴とする請求項４に記載の包装用容器。
【請求項６】
前記容器本体側の各突起部に、前記基端部から始まって前記先端部にて終わる複数の水案内部を形成したことを特徴とする請求項４または請求項５に記載の包装用容器。
【発明の詳細な説明】
【技術分野】
【０００１】
本発明は、食品等を収納する使い捨ての包装用容器に関し、特に、フランジからの突起部を有する包装用容器に関するものである。
【背景技術】
【０００２】
食品等を収納する使い捨ての包装用容器は、スーパーやコンビニエンスストア等で大量に使用されており、収納する食品等に応じた種々な形態のものが提案されている。この種の包装用容器としては、所謂「トレー」と称されている「蓋」のない皿状のものや、容器本体（食品等の収納や載置がなされ、時にはラップによって覆われる）、蓋体（食器や容器本体を上側から覆うもの）がある。勿論、上記の容器本体と、その開口を形成する嵌合フランジに嵌合される蓋体とからなる包装用容器も大量に使用されている。
【０００３】
つまり、以下で「包装用容器」と言った場合、トレー、容器本体単独、蓋体単独、そして容器本体と蓋体とからなるものを対象としているものであり、特に断らない限り、これら全てを指すものである。
【０００４】
また、この種の使い捨て包装用容器は、安価で衛生的に提供できることから、合成樹脂シートを材料として熱成形されることが多く、また、この熱成形の際には、所謂「多数個取り」がなされる。なお、シート成形法は、射出成形法に比べれば、「深かもの」の成形には向かないが、食品等を収納する使い捨ての包装用容器を成形するには何等問題はない。
【０００５】
さて、この種の包装用容器では、その開口部の補強を行うために、開口の周囲にフランジ（縁取り及び嵌合部ともなる）を形成することが一般であるが、このフランジに、種々な理由から「突出部」を形成することがなされる。この「突出部」は、包装用容器の取手となったり、つまみ部となったり、さらには、ラップの支えとなったりするものであって、フランジを成形する際に同時に形成されることが一般である。
【０００６】
ところで、この包装用容器に食品等を収納した後には、そのまま室温の棚に並べられることもあるが、通常は、冷蔵または冷凍陳列される。これを消費者が購入して持ち帰ると、包装用容器の「突起部」に「結露」が生じていることがあり、この結露は容器内の液汁が零れたように見えるし、食品以外の何かが付着したようにも見え、内容物を食してよいかどうかの不安を消費者に与えてしまう可能性がある。
【０００７】
特に、容器本体に蓋体を嵌合する包装用容器では、食品等を収納した（最近では人出ではなく、機械的になされることが多くなってきている）後に、余分な付着物を落とすために水洗浄を行うことがあるが、この洗浄水が「突起部」に付着したままとなって、この残留洗浄水も消費者に不安を与える可能性がある。まして、容器本体に蓋体を嵌合する包装用容器では、両者の「突起部」（開封のためのつまみ部とされることが多い）が重なり合うことがあって、この突起部の重合部分に洗浄水が毛細管現象によって浸み込んでしまうと、短時間内での乾燥では除去できないことがあるだけでなく、両突起部の重合部分での開封が困難となる。
【０００８】
この種の包装用容器において、上述した「開封困難」に着目した従来技術としては、特許文献１があり、「結露」に着目した従来技術としては、特許文献２及び特許文献３がある。
【先行技術文献】
【特許文献】
【０００９】
【特許文献１】特許第３５３３３８４号掲載公報、要約
【特許文献２】特開２００２−３６２６４３号公報、要約
【特許文献３】特許第３１１４８５９号掲載公報、要約
【発明の概要】
【発明が解決しようとする課題】
【００１０】
特許文献１には、「容器本体の張出部の上に蓋のつまみ部を重ね合わせた上記合成樹脂製容器では、煮汁や漬け汁を併有する出来合の惣菜や各種漬物などの食品を食べる前に、蓋のつまみ部をめくってつまんで蓋を容器本体との熱融着部から引き剥がしながら蓋の一部を開けて煮汁や漬け汁を切るが、このとき、容器本体の張出部の上に重ね合わせた蓋のつまみ部がめくり難いという不具合があった」のを解消することを目的とした「合成樹脂製容器」が提案されている。
【００１１】
この特許文献１の「合成樹脂製容器」では、「外部スカートの裾の一部を他部よりも短く形成してこの短い裾部と前記他部の両側端とが出会う二箇所にそれぞれ入隅角部を設け、前記つまみ部は前記短い裾部から外方へ張り出し成形されている」のであるが、これだと「開封操作」が行い易くはなるが、「結露」の問題は解決されない。
【００１２】
特許文献２には、「蓋の内側に付着した水滴を速やかに除去すると共に、外部に流れ出さないようにした包装用容器を提供すること」を目的とした「包装用容器」が提案されているが、この包装用容器は、「蓋と容器本体とからなる包装用容器において、容器本体の口縁にフランジが設けられ、蓋の外周には上記フランジに対向する周縁部が設けられている。上記フランジと周縁部との間に、部分的に互いの間隔を広く形成するための空間部を形成している」ものである。
【００１３】
しかしながら、この特許文献２の「包装用容器」では、「蓋の内側に付着した水滴を速やかに除去する」ものであって、包装用容器の外側に付着した水滴を除去することはできないものとなっている。
【００１４】
そして、特許文献３には、「電子レンジで加熱することなどにより容器内部で膨張した空気を水蒸気とともに漏出させ、容器内に結露を生じ難くするとともに、容器内に発生した結露は容器外側に漏出させない構造を備えた食品収納用容器を提供せんとするものである」が、この食品収納用容器でも、上記特許文献２の場合と同様に、包装用容器の外側に付着した結露を除去することはできないものとなっている。
【００１５】
そこで、本発明者等は、この種のフランジからの突起部を有する包装用容器について、その外側に付着した結露や水滴を簡単に除去するにはどうしたらよいか、について種々検討を重ねてきた結果、本発明を完成したのである。
【００１６】
すなわち、本発明の目的とするところは、外側に付着した結露や水滴を簡単に除去することのできる包装用容器を提供することにある。
【００１７】
また、本発明の他に目的とするところは、それぞれ突起部を有する容器本体と蓋体とからなる包装用容器において、外側に付着した結露や水滴を簡単に除去することができるようにすることは勿論、これらの容器本体及び蓋体の両突起部間に水滴が付着しにくくすることのできる包装用容器を提供することにある。
【課題を解決するための手段】
【００１８】
以上の課題を解決するために、まず、請求項１に係る発明の採った手段は、後述する最良形態の説明中で使用する符号を付して説明すると、
「開口の周縁に形成されたフランジ１１を有した包装用容器１０において、
フランジ１１の外縁１１ａを、辺部中央部から両側部分にかけて下方へ垂れ下がるようにしたことを特徴とする包装用容器１０」
である。
【００１９】
すなわち、この請求項１に係る包装用容器１０は、図１にも示すように、開口の周縁に形成されたフランジ１１を有したものであるが、このフランジ１１の外縁１１ａを、図２にも示すように、その辺部中央部から両側部分にかけて下方へ垂れ下がるようにしたものである。
【００２０】
この場合、「辺部中央部」は、例えば図２に示すフランジ１１の外縁１１ａの中央部付近を言うものであり、図２のように、正面から見たフランジ１１の外縁１１ａの図示左右方向の中心点から、一定の広がりを持った部分を言うものである。換言すれば、外縁１１ａの「辺部中央部」は、中心点を含んで一定の範囲で左右両側部分に広がるものであるから、外縁１１ａが下方へ垂れ下がるのは、中心点から直接の場合は勿論、中心点から暫く水平状態のまま進んでから左右に垂れ下がる場合があることになる。
【００２１】
勿論、「両側部分」は、包装用容器１０が平面視「丸型」や「楕円型」である場合には、フランジ１１の外縁１１ａの「辺部中央部」から文字通り左右に広がる部分を言うものであり、包装用容器１０が平面視「角型」や「菱型」であって「コーナー」を有する場合には、この「コーナー」との間に存在するフランジ１１の外縁１１ａとするものである。以下、及び後述する実施形態の包装用容器１０では、「両側部分」の広がり先として、この「コーナー」または「コーナー部」という用語を使用することとする。
【００２２】
以上のようにした請求項１に係る包装用容器１０では、これに食品等の収納物を収納してから冷蔵または冷凍して取り出すと、空気中の水蒸気が結露して表面に付着する。当該包装用容器１０を、例えば長めの時間を掛けて持ち帰ると、結露が大量になって水滴化するが、この水滴は、各外縁１１ａにおいて次のように除去されるから、内容物の一部が漏れ出たかなという不安や、最初から不純物が付着していたのではないかという不安を与えることはない。
【００２３】
何故なら、この包装用容器１０を水平な机上に置いた場合も、一般的には傾斜させてある陳列棚上に置いた場合も、結露等によってフランジ１１上に付着した水分は、このフランジ１１を伝ってその外縁１１ａ上に至り、最終的には自然とコーナー部に至ることになる。特に、フランジ１１の外縁１１ａは、図２にも示すように、辺部中央部から両側部分にかけて下方へ垂れ下がるのであるから、図２に示す左右方向何れに傾いていても、フランジ１１上に付着した水分は、自然とコーナー部に至ることになる。
【００２４】
以上のことは、当該包装用容器１０が開口部をフィルムによって覆うことになる所謂「トレー」タイプのものであっても同様に言える。何故なら、フィルムは、フランジ１１の外縁１１ａを覆うことになるからであり、また、薄いものであるため、フランジ１１の外縁１１ａが辺部中央部から両側部分にかけて下方へ垂れ下がることを阻害しないからである。
【００２５】
また、この包装用容器１０自体を、図２とは上下反対向きに使用する場合、つまり他の容器の蓋体として使用する場合、フランジ１１の各辺部の中央が凹んだものとなるが、この場合も、フランジ１１上に付着した水分を、自然とコーナー部に至らせることになる。何故なら、辺部中央部に存在するフランジ１１の外縁１１ａは、図１にも示すように、非常に幅狭なものであるし、水の案内はするが保持はできないからであり、一方、両側部分にかけて上方へ盛り上がることになる各「コーナー部」は、流れてきた水の水切りを行う部分となるからである。
【００２６】
さらに、この包装用容器１０が、図２示したものに、図２に示したのとは上下反対にされる「蓋体」を嵌合するものである場合にも、上述した理由によって、フランジ１１上に付着した水分を、自然とコーナー部に至らせることになる。
【００２７】
それだけでなく、当該包装用容器１０がフランジ１１の外縁１１ａを辺部中央部から両側部分にかけて下方へ垂れ下がるものとしたことによって、フランジ１１と蓋体側のフランジとの間に、フランジ１１の外縁１１ａの辺部中央部から両側部分にかけて大きく広がることになる空間Ｒが、例えば図８に示すように、形成されることになる。このため、例えば洗浄水が、当該包装用容器１０のフランジ１１と蓋体側のフランジとの間の空間Ｒ内に毛細管現象によって浸み込もうとしても、コーナー部に至った水の重力によって水切りされてしまうことになって、溜まることはない。
【００２８】
従って、この請求項１に係る包装用容器１０は、外側に付着した結露や水滴を簡単に除去することができるものとなっているのである。
【００２９】
また、以上の課題を解決するために、請求項２に係る発明の採った手段は、上記請求項１の包装用容器１０について、
「フランジ１１の外縁１１ａに基端部１２ａにて連続的に形成されて、先端部１２ｂが外方に突出する突起部１２を有したものとして、この各突起部１２の先端部１２ｂを基端部１２ａから順次幅狭な形状となるようにすることによって、各突起部１２を三角形状のものに形成するとともに、基端部１２ａに形成した折曲部１３にて各突起部１２が外側下方に向けて傾斜するようにしたこと」
である。
【００３０】
すなわち、この請求項２に係る包装用容器１０は、図１にも示すように、フランジ１１の外縁１１ａを辺部中央部から両側部分にかけて下方へ垂れ下がるようにしたものであることを前提としながらも、フランジ１１の外縁１１ａに基端部１２ａにて連続的に形成されて、先端部１２ｂが外方に突出する少なくとも１つの突起部１２とを有したものであり、各突起部１２について、図３の（ａ）に示すように、その先端部１２ｂを基端部１２ａから順次幅狭な形状となるように形成するとともに、基端部１２ａに形成した折曲部１３にて各突起部１２が外側下方に向けて傾斜するようにしたものである。
【００３１】
以上のようにした請求項２に係る包装用容器１０でも、これに食品等の収納物を収納してから冷蔵または冷凍して取り出すと、空気中の水蒸気が結露して表面に付着する。当該包装用容器１０を、例えば長めの時間を掛けて持ち帰ると、結露が大量になって水滴化するが、この水滴は、各突起部１２において次のように除去されるから、内容物の一部が漏れ出たかなという不安や、最初から不純物が付着していたのではないかという不安を与えることはない。
【００３２】
何故なら、各突起部１２については、まず、図３の（ａ）に示すように、その先端部１２ｂが基端部１２ａから順次幅狭となるように形成されているため尖っているから、包装用容器１０の表面やフランジ１１、そして各突起部１２に付着した結露は、各部分を伝って先端部１２ｂに集まり易くなっている。当該包装用容器１０を持ち運びする際は、当該包装用容器１０を完全に水平状態に維持されることは殆どなく、当該包装用容器１０が傾けられることが多いからである。
【００３３】
勿論、本発明に係る包装用容器１０の各突起部１２については、図３の（ｂ）に示すように、基端部１２ａに形成した折曲部１３にて各突起部１２が外側下方に向けて傾斜させてあるから、各部分を伝って先端部１２ｂに集まった水滴は、当該先端部１２ｂが基端部１２ａから順次幅狭となるように形成されて尖っていることもあって、重力によって自然と「水切り」される、つまり除去されることになるのである。
【００３４】
以上の各突起部１２による、水滴の自然な除去現象は、当該包装用容器１０が、「トレー」、後述する「容器本体１０Ａ」単独、「蓋体１０Ｂ」単独、そして、「容器本体１０Ａと蓋体１０Ｂとからなるもの」であっても、同様に発生するものである。
【００３５】
従って、この請求項２の発明に係る包装用容器１０は、外側に付着した結露や水滴を、上記請求項１の包装用容器１０と同様に、フランジ１１の外縁１１ａを辺部中央部から両側部分にかけて下方へ垂れ下がるようにしたことによって、簡単に除去することができるだけでなく、各突起部１２によっても簡単に除去することができるものとなっているのである。
【００３６】
上記課題を解決するために、請求項３に係る発明の採った手段は、上記請求項２に記載の包装用容器１０について、
「各突起部１２に、基端部１２ａから始まって先端部１２ｂにて終わる複数の水案内部１４を形成したこと」
である。
【００３７】
すなわち、この請求項３の包装用容器１０では、各突起部１２に水案内部１４を形成したものであり、各水案内部１４は、図３に示すように、突起部１２の基端部１２ａから始まって先端部１２ｂにて終わる複数のものとしたものである。また、各水案内部１４は、図４に示すように、各突起部１２に対する「溝」として形成してもよく、これとは逆に、「突条」として形成したものでもよい。要するに、これらの各水案内部１４は、文字通り、水滴を除去するための案内が行えて、しかもシート成形ができるのであればどのような形状のものであってもよく、図３に示すような直線状は勿論、曲線状のものであってもよいものである。
【００３８】
各水案内部１４を、突起部１２の基端部１２ａから始まって先端部１２ｂにて終わる複数のものとしなければならないが、その理由は、突起部１２という小さな面積のものの表面に付着した結露あるいは水滴の全てを、包装用容器１０に再付着しないようにするために、できるだけ突起部１２の先端部１２ｂに導き、ここから自然落下させたいためである。
【００３９】
つまり、これらの水案内部１４を各突起部１２に形成した包装用容器１０では、各突起部１２の先端部１２ｂを基端部１２ａから順次幅狭な形状となるように形成するとともに、基端部１２ａに形成した折曲部１３にて各突起部１２が外側下方に向けて傾斜するようにしたこととも相まって、各突起部１２の表面に付着した結露あるいは水滴の全てが、各水案内部１４の先端部、すなわち、各突起部１２の先端部１２ｂに集まって滴となり、包装用容器１０に再付着しないで纏まって自然に落下することになるのである。
【００４０】
また、この包装用容器１０の各水案内部１４については、その先端を、各突起部１２の先端部１２ｂにて集合させて実施することも有効である。
【００４１】
つまり、各水案内部１４の先端を、各突起部１２の先端部１２ｂにて集合させた包装用容器１０では、図３の（ａ）に示すように、突起部１２という小さな面積のものの表面に付着した結露あるいは水滴の全てが突起部１２の先端部１２ｂに確実に導かれることになる。このため、結露がより一層水滴化し易く、包装用容器１０から突出している各突起部１２の先端から、包装用容器１０に再付着しないで落下することになる。
【００４２】
従って、この請求項３の発明に係る包装用容器１０は、上記請求項２に係るそれと同様な機能を発揮する他、外側に付着した結露や水滴を、各水案内部１４によって各突起部１２の先端部１２ｂに集めるため、結露や水滴の除去が効率良く行えるとともに、外側に付着した結露や水滴が、先端を集合させた各水案内部１４によって各突起部１２の先端部１２ｂに積極的に集めることができて、結露や水滴の除去が効率良く行えるものとなっているのである。
【００４３】
また、上記課題を解決するために、請求項４係る発明の採った手段は、
「それぞれフランジ１１Ａ・１１Ｂを有する容器本体１０Ａと蓋体１０Ｂとからなる包装用容器１０において、
容器本体１０Ａ側のフランジ１１Ａの外縁１１ａを辺部中央部から両側部分にかけて下方へ垂れ下がるようにするとともに、蓋体１０Ｂ側のフランジ１１Ｂの外縁１１ｂを平坦にするようにして、
容器本体１０Ａに蓋体１０Ｂを嵌合したとき、蓋体１０Ｂ側のフランジ１１Ｂの外縁１１ｂのコーナー部と、容器本体１０Ａ側のフランジ１１Ａの外縁１１ａのコーナー部との間に、側面からみたときに、外側外方に向けて広がる空間Ｒを形成したことを特徴とする包装用容器１０」
である。
【００４４】
この容器本体１０Ａと蓋体１０Ｂとからなる包装用容器１０の以下の説明中、及びこの請求項４を説明する図６〜図８中においては、上記請求項１で説明した各部材に対応する部材の各符号に、容器本体１０Ａ側の部材については「Ａ」を、また、蓋体１０Ｂ側の部材については「Ｂ」をさらに付して区別ができるようにしている。つまり、符号の後に「Ａ」が付された部材は「容器本体」側の部材であり、同「Ｂ」が付された部材は「蓋体」側の部材である。
【００４５】
上記請求項４に係る包装用容器１０は、図６〜図８に示すように、それぞれフランジ１１Ａ・１１Ｂを有する容器本体１０Ａと蓋体１０Ｂとからなり、容器本体１０Ａ側のフランジ１１Ａの外縁１１ａを辺部中央部から両側部分にかけて下方へ垂れ下がるようにするとともに、蓋体１０Ｂ側のフランジ１１Ｂの外縁１１ｂを平坦にするようにしたものである。この場合、「外縁１１ａの辺部中央部」は、例えば上述した図２に示すフランジ１１の外縁１１ａの中央部分を言うものであって、中心から一定の範囲で左右に広がるものである。勿論、「コーナー」は、同じく図２に示すフランジ１１の外縁１１ａの左右両端部分を言うものである。
【００４６】
以上のようにした包装用容器１０では、これに食品等の収納物を収納してから冷蔵または冷凍して取り出すと、空気中の水蒸気が結露して表面に付着する。当該包装用容器１０を、例えば長めの時間を掛けて持ち帰ると、容器本体１０Ａや蓋体１０Ｂに対する結露が大量になって水滴化する。ところが、この水滴はフランジ１１Ａの各外縁１１ａにおいて次のように除去され、また蓋体１０Ｂ側の外縁１１ｂコーナー部と、容器本体１０Ａ側の外縁１１ａコーナー部との間に毛細管現象による水滴の溜まりが発生しないから、内容物の一部が漏れ出たかなという不安や、最初から不純物が付着していたのではないかという不安を与えることはない。
【００４７】
何故なら、この包装用容器１０を水平な机上に置いた場合も、一般的には傾斜させてある陳列棚上に置いた場合も、結露等によってフランジ１１Ａ・１１Ｂ上に付着した水分は、これらのフランジ１１Ａ・１１Ｂを伝ってその外縁１１ａ・１１ｂ上に至り、最終的には自然とコーナー部に至ることになる。特に、フランジ１１Ａの外縁１１ａは、図６及び図７にも示すように、辺部中央部から両側部分にかけて下方へ垂れ下がるのであるから、図２に示す左右方向何れに傾いていても、フランジ１１Ａ上に付着した水分は、自然とコーナー部に至ることになる。
【００４８】
また、この請求項４の包装用容器１０は、蓋体１０Ｂ側のフランジ１１Ｂの外縁１１ｂを平坦にすることによって、この蓋体１０Ｂ側のフランジ１１Ｂの外縁１１ｂのコーナー部と、容器本体１０Ａ側のフランジ１１Ａの外縁１１ａのコーナー部との間に、図７及び図８に示すように、空間Ｒが形成されることになる。この空間Ｒが存在することによって、蓋体１０Ｂ側のフランジ１１Ｂの外縁１１ｂのコーナー部と、容器本体１０Ａ側のフランジ１１Ａの外縁１１ａのコーナー部との間に、毛細管現象による水滴の溜まりが発生しないことになるのである。
【００４９】
従って、この請求項４に係る包装用容器１０は、外側に付着した結露や水滴を簡単に除去することができるものとなっているのである。
【００５０】
そして、上記課題を解決するために、請求項５係る発明の採った手段は、上記請求項４に記載の包装用容器１０について、
「各フランジ１１Ａ・１１Ｂの外縁１１ａ・１１ｂに各基端部１２ａにて連続的に形成されて、各先端部１２ｂが外方に突出する突起部１２Ａ・１２Ｂとを有し、容器本体１０Ａに蓋体１０Ｂを嵌合したとき、この蓋体１０Ｂの少なくとも１つの突起部１２Ｂが容器本体１０Ａ側の突起部１２Ａ上に位置することになる包装用容器１０において、
容器本体１０Ａ側の各突起部１２Ａについてのみ、その先端部１２ｂを基端部１２ａから順次幅狭な形状となるように形成するとともに、基端部１２ａに形成した折曲部１３にて各突起部１２Ａが外側下方に向けて傾斜するようにして、
蓋体１０Ｂ側の少なくとも１つの突起部１２Ｂと、容器本体１０Ａ側の突起部１２Ａとの間に、側面からみたときに、外側外方に向けて広がる空間Ｒを形成したこと」
である。
【００５１】
すなわち、この請求項５に係る包装用容器１０は、各フランジ１１Ａ・１１Ｂの外縁に各基端部１２ａにて連続的に形成されて、各先端部１２ｂが外方に突出する突起部１２Ａ・１２Ｂとを有し、容器本体１０Ａに蓋体１０Ｂを嵌合したとき、この蓋体１０Ｂの少なくとも１つの突起部１２Ｂが容器本体１０Ａ側の突起部１２Ａ上に位置することになるものである。
【００５２】
さて、この請求項５に係る包装用容器１０では、図６〜図８に示すように、容器本体１０Ａ側の各突起部１２Ａについてのみ、その先端部１２ｂを基端部１２ａから順次幅狭な形状となるように形成するとともに、基端部１２ａに形成した折曲部１３にて各突起部１２Ａが外側下方に向けて傾斜するようにしたものである。これにより、容器本体１０Ａ側の突起部１２Ａについては、容器本体１０Ａやフランジ１１Ａの表面等に付着した結露は、各部分を伝って先端部１２ｂに集まり易くなっているし、基端部１２ａに形成した折曲部１３にて各突起部１２が外側下方に向けて傾斜させてあることから、各部分を伝って先端部１２ｂに集まった水滴が、重力によって自然と「水切り」される、つまり除去されることになるのである。
【００５３】
また、この容器本体１０Ａと蓋体１０Ｂからなる包装用容器１０では、蓋体１０Ｂ側の少なくとも１つの突起部１２Ｂと、容器本体１０Ａ側の突起部１２Ａとの間には、図７及び８に示すように、側面からみたときに、外側外方に向けて広がる空間Ｒが形成されるのであるから、容器本体１０Ａ側の突起部１２Ａと蓋体１０Ｂ側の突起部１２Ｂとの間に、例えば洗浄作業等によって入り込んだ水あるいは水滴には毛細管現象が働かず、これらの水あるいは水滴は、両突起部１２・１２Ｂ間に留まることができないだけでなく更に奥に浸み込むこともできない。そして、容器本体１０Ａ側の各突起部１２Ａが、図８に示すように、基端部１２ａに形成した折曲部１３にて外側下方に向けて傾斜させてあるから、留まることも浸み込むこともできなかった水滴は、各突起部１２Ａの先端部１２ｂから滴り落ちざるを得ないのである。
【００５４】
従って、この請求項５に係る包装用容器１０は、上記請求項４のそれと同様な機能を発揮知る他、外側に付着した結露や水滴を簡単に除去することができるものとなっているだけでなく、これらの容器本体１０Ａ及び蓋体１０Ｂの両突起部１２Ａ・１２Ｂ間に水滴が付着しにくくすることができるものとなっているのである。
【００５５】
上記課題を解決するために、請求項６に係る発明の採った手段は、上記請求項４または請求項５に記載の包装用容器１０について、
「容器本体１０Ａ側の各突起部１２Ａに、基端部１２ａから始まって先端部１２ｂにて終わる複数の水案内部１４を形成したこと」
である。
【００５６】
すなわち、この請求項６の包装用容器１０では、請求項５のそれと同様に、各突起部１２Ａの先端部１２ｂを基端部１２ａから順次幅狭な形状となるように形成するとともに、基端部１２ａに形成した折曲部１３にて各突起部１２が外側下方に向けて傾斜するようにしたこととも相まって、各突起部１２Ａの表面に付着した結露あるいは水滴の全てが、各水案内部１４の先端部、すなわち、各突起部１２Ａの先端部１２ｂに集まって滴となり、包装用容器１０に再付着しないで纏まって自然に落下することになるのである。
【００５７】
勿論、この包装用容器１０の各水案内部１４について、その各先端を、各突起部１２Ａの先端部１２ｂにて集合させて実施することができる。
【００５８】
このようにした包装用容器１０では、各突起部１２Ａに複数形成した各水案内部１４について、その先端を、各突起部１２Ａの先端部１２ｂにて集合させたものであるが、これにより、突起部１２Ａという小さな面積のものの表面に付着した結露あるいは水滴の全てが突起部１２Ａの先端部１２ｂに確実に導かれることになる。このため、結露がより一層水滴化し易く、包装用容器１０から突出している各突起部１２の先端から、包装用容器１０に再付着しないで落下することになる。
【００５９】
従って、この請求項６の発明に係る包装用容器１０は、上記請求項４または請求項５に係るそれと同様な機能を発揮する他、外側に付着した結露や水滴を、各水案内部１４によって各突起部１２Ａの先端部１２ｂに集めるため、結露や水滴の除去が効率良く行えるとともに、外側に付着した結露や水滴が、先端を集合させた各水案内部１４によって各突起部１２の先端部１２ｂに積極的に集めることができて、結露や水滴の除去が効率良く行えるものとなっているのである。
【発明の効果】
【００６０】
以上説明した通り、請求項１に係る発明においては、
「開口の周縁に形成されたフランジ１１を有した包装用容器１０において、
フランジ１１の外縁を辺部中央部から両側部分にかけて下方へ垂れ下がるようにしたこと」
にその構成上の特徴があり、これにより、外側に付着した結露や水滴を簡単に除去することのできる包装用容器１０を提供することができるのである。
【００６１】
また、請求項４に係る発明においては、
「それぞれフランジ１１Ａ・１１Ｂを有する容器本体１０Ａと蓋体１０Ｂとからなる包装用容器１０において、
容器本体１０Ａ側のフランジ１１Ａの外縁１１ａを辺部中央部から両側部分にかけて下方へ垂れ下がるようにするとともに、蓋体１０Ｂ側のフランジ１１Ｂの外縁１１ｂを平坦にするようにして、
容器本体１０Ａに蓋体１０Ｂを嵌合したとき、蓋体１０Ｂ側のフランジ１１Ｂの外縁１１ｂのコーナー部と、容器本体１０Ａ側のフランジ１１Ａの外縁１１ａのコーナー部との間に、側面からみたときに、外側外方に向けて広がる空間Ｒを形成したこと」
にその構成上の特徴があり、これにより、それぞれ突起部１２Ａ・１２Ｂを有する容器本体１０Ａと蓋体１０Ｂとからなる包装用容器１０において、外側に付着した結露や水滴を簡単に除去することができるようにすることは勿論、これらの容器本体１０Ａ及び蓋体１０Ｂの両突起部１２Ａ・１２Ｂ間に水滴が付着しにくくすることのできる包装用容器１０を提供することができるのである。
【図面の簡単な説明】
【００６２】
【図１】本発明の第１実施例に係る包装用容器１０の平面図である。
【図２】同包装用容器１０の正面図である。
【図３】同包装用容器１０の一部分を拡大して示すもので、（ａ）は平面図、（ｂ）は（ａ）の断面図である。
【図４】同包装用容器１０の突起部１２についての、図１中の２−２線に沿って見た部分拡大縦断面図である。
【図５】同包装用容器１０の、図１中の３−３線に沿って見た縦断面図である。
【図６】本発明の第２実施例に係る、容器本体１０Ａと蓋体１０Ｂとからなる包装用容器１０の分解縦断面図である。
【図７】同容器本体１０Ａと蓋体１０Ｂとからなる包装用容器１０の正面である。
【図８】同包装用容器１０の、容器本体１０Ａと蓋体１０Ｂとを嵌合した状態の部分拡大縦断面図である。
【発明を実施するための形態】
【００６３】
次に、上記のように構成した各請求項に係る発明を、図面に示した実施の形態である包装用容器１０について説明するが、図１〜図５は本発明の第１実施例を示すものであり、図６及び図８は本発明の第２実施例を示すものである。
【００６４】
なお、図１〜図５に示した第１実施例に係る包装用容器１０では、「トレー」、「容器本体単独」または「蓋体単独」の場合を想定しているものであって、特に、「容器本体単独」の場合を想定しているものである。
【００６５】
一方、図６及び図８に示した第２実施例では、容器本体１０Ａと蓋体１０Ｂとからなる包装用容器１０を想定しているものであり、この容器本体１０Ａと蓋体１０Ｂとからなる包装用容器１０の以下の説明中においては、上記第１実施例で説明する各部材に対応する部材の各符号に、容器本体１０Ａ側の部材については「Ａ」を、また、蓋体１０Ｂ側の部材については「Ｂ」をさらに付して区別ができるようにしている。つまり、第２実施例の説明中において、符号の後に「Ａ」が付された部材は「容器本体」側の部材であり、同「Ｂ」が付された部材は「蓋体」側の部材である。
【００６６】
また、第１実施例の包装用容器１０も、第２実施例における容器本体１０Ａや蓋体１０Ｂも、基本的には、合成樹脂シートをシート成形して製造されるものである。この合成樹脂シートとしては、発泡性ポリスチレンペーパーは勿論、各種合成樹脂材料からなるソリッドタイプのシートも採用される。
【００６７】
（第１実施例）
図１〜図５には、第１実施例に係る包装用容器１０が示してあるが、この包装用容器１０は、厚さ０．３５ｍｍのＡ―ＰＥＴ（延伸ポリエチレンテレフタレートシート）を材料としてシート成形したものであり、主として「容器本体」として成形したものであるが、当該包装用容器１０は、「トレー」、後述する「容器本体１０Ａ」単独、「蓋体１０Ｂ」単独、として使用されることがあるものである。
【００６８】
この包装用容器１０は、図１に示したように、略四角形状にした開口の周縁に形成されたフランジ１１と、このフランジ１１の四隅の外縁のそれぞれに基端部１２ａにて連続的に形成されて、先端部１２ｂが外方に突出する複数の突起部１２とを有したものであり、底壁は、四隅の膨出脚部にて僅かに持ち上げて、この底壁の下側を冷気が流れ得るようにしたものである。勿論、この底壁やこれから立ち上がる側壁については、当該包装用容器１０の剛性を確保したり、収納物が直接触れる部分を少なくしたりするために、内側に突出する多数の膨出リブが形成してある。
【００６９】
各突起部１２については、図３に示したように、その先端部１２ｂを基端部１２ａから順次幅狭な形状となるように形成するとともに、図１及び図３に示した基端部１２ａに形成された折曲部１３にて、例えば図６または図８に示したように、各突起部１２が外側下方に向けて傾斜するようにしてある。各突起部１２については、シート成形後のフランジ１１をトリミングするに際して同時に形成されるものであるが、その基端部１２ａに形成された折曲部１３とともに、立体カットしたものである。勿論、これら各突起部１２やこれに形成してある折曲部１３については、上記シート成形時に型成形しておくことも可能である。
【００７０】
この第１実施例の包装用容器１０では、各突起部１２に水案内部１４が形成してあり、各水案内部１４は、図３に示したように、突起部１２の基端部１２ａから始まって先端部１２ｂにて終わる複数のものである。また、各水案内部１４は、図４に示したように、各突起部１２に対する「溝」として形成してもよく、これとは逆に、「突条」として形成したものでもよい。このように、各水案内部１４を、突起部１２の基端部１２ａから始まって先端部１２ｂにて終わる複数のものとしたから、突起部１２という小さな面積のものの表面に付着した結露あるいは水滴の全てを、突起部１２の先端部１２ｂに導いてここから自然落下させるのである。
【００７１】
つまり、これらの水案内部１４を各突起部１２に形成した包装用容器１０では、各突起部１２の先端部１２ｂを基端部１２ａから順次幅狭な形状となるように形成するとともに、基端部１２ａに形成した折曲部１３にて各突起部１２が外側下方に向けて傾斜するようにしたこととも相まって、各突起部１２の表面に付着した結露あるいは水滴の全てが、各水案内部１４の先端部、すなわち、各突起部１２の先端部１２ｂに集まって滴となり、包装用容器１０に再付着しないで纏まって自然に落下することになる。
【００７２】
さらに、この第１実施例の包装用容器１０においては、各水案内部１４の先端が、各突起部１２の先端部１２ｂにて集合するようにしてある。これにより、この第１実施例の包装用容器１０では、突起部１２という小さな面積のものの表面に付着した結露あるいは水滴の全てを、突起部１２の先端部１２ｂに確実に導くことになる。
【００７３】
以上のようにした包装用容器１０では、これに食品等の収納物を収納してから冷蔵または冷凍して取り出すと、空気中の水蒸気が結露して表面に付着するが、この水滴は各突起部１２において、各水案内部１４に案内されながら最終的に自然落下して除去されることになるから、「内容物の一部が漏れ出たかな」という不安や、「最初から不純物が付着していたのではないか」という不安を与えない。
【００７４】
（第２実施例）
図６〜図８には、本発明の第２実施例に係る包装用容器１０が示してあるが、この包装用容器１０は、それぞれ略四角形状のフランジ１１Ａ・１１Ｂを有する容器本体１０Ａと蓋体１０Ｂとからなり、各フランジ１１Ａ・１１Ｂの外縁に各基端部１２ａにて連続的に形成されて、各先端部１２ｂが外方に突出する突起部１２Ａ・１２Ｂとを有するものである。
【００７５】
この第２実施例に係る、容器本体１０Ａと蓋体１０Ｂとからなる包装用容器１０の以下の説明中、及び図６〜図８中においては、上記第１実施例で説明した各部材に対応する部材の各符号に、容器本体１０Ａ側の部材については「Ａ」を、また、蓋体１０Ｂ側の部材については「Ｂ」をさらに付して区別ができるようにした。つまり、以下の説明中や図６〜図８中においては、符号の後に「Ａ」が付された部材は「容器本体」側の部材であり、同「Ｂ」が付された部材は「蓋体」側の部材であることを示している。
【００７６】
また、この第２実施例の包装用容器１０においては、容器本体１０Ａに蓋体１０Ｂを嵌合したとき、図７及び図８に示したように、蓋体１０Ｂの少なくとも１つの突起部１２Ｂが容器本体１０Ａ側の突起部１２Ａ上に位置することになるものである。この蓋体１０Ｂの突起部１２Ｂは、当該蓋体１０Ｂを容器本体１０Ａから開放する際に使用される「つまみ部」とされることが多く、少なくとも１つあれば十分であり、四隅にあっても問題はない。
【００７７】
そして、この蓋体１０Ｂの少なくとも１つの突起部１２Ｂは、容器本体１０Ａ側の突起部１２Ａ上に位置するとともに、その下側にある容器本体１０Ａ側の各突起部１２Ａを、基端部１２ａに形成した折曲部１３にて外側下方に向けて傾斜させたことから、図７及び図８に示したように、これらの蓋体１０Ｂ側の突起部１２Ｂと容器本体１０Ａ側の突起部１２Ａとの間に、外側外方に向けて広がる空間Ｒが形成されることになる。
【００７８】
この空間Ｒが外側外方に向けて広がっていて、容器本体１０Ａ側の突起部１２Ａが、基端部１２ａに形成した折曲部１３にて外側下方に向けて傾斜していることにより、上下にて重合している蓋体１０Ｂ側の突起部１２Ｂと容器本体１０Ａ側の突起部１２Ａとの間には、水についての毛細管現象は全く発生しない。従って、容器本体１０Ａ側の突起部１２Ａに結露した水分や、洗浄時に葺き付けられた洗浄水は、蓋体１０Ｂ側の突起部１２Ｂと容器本体１０Ａ側の突起部１２Ａとの間に留まることがないことは勿論、容器本体１０Ａ側の突起部１２Ａの、上記第１実施例で説明したのと同様の機能によって、除去されることになる。
【符号の説明】
【００７９】
１０    包装用容器
１０Ａ  容器本体
１０Ｂ  蓋体
１１    フランジ
１１ａ・１１ｂ  外縁
１１Ａ  フランジ
１１Ｂ  フランジ
１２    突起部
１２ａ  基端部
１２ｂ  先端部
１２Ａ  突起部
１２Ｂ  突起部
１３    折曲部
１４    水案内部
【図１】
2014118189.tif 000003
【図２】
2014118189.tif 000004
【図３】
2014118189.tif 000005
【図４】
2014118189.tif 000006
【図５】
2014118189.tif 000007
【図６】
2014118189.tif 000008
【図７】
2014118189.tif 000009
【図８】
2014118189.tif 000010